(57)【特許請求の範囲】
【請求項１】
プログラムであって、
撮像部と、通信部と、を有する携帯電話装置を、
面談部として機能させ、
前記通信部は、電話網及びインターネットを介して他の装置と通信可能に構成され、
前記面談部は、面談制御部を有し、
面談相手の電話番号が入力された場合、前記面談制御部は、面談に関するライブ配信の接続情報を、前記通信部及び電話網を介して前記面談相手に送信し、
前記接続情報を介して前記面談相手から接続があった場合、
前記通信部及び前記電話網を介した前記面談相手との面談に関するライブ配信における音声の送受信は、前記携帯電話装置の電話部を用いて行われ、
前記面談制御部は、前記通信部及びインターネットを介して前記面談相手との面談に関するライブ配信における画像の送受信を制御し、
ここで、前記面談相手に送信される画像は、前記撮像部で撮像されたユーザの画像であり、
前記面談相手より受信される画像は、前記面談相手の携帯電話装置で撮像された前記面談相手の画像であり、
前記面談部は、表示制御部を有し、
前記携帯電話装置は、表示部を有し、
面談相手の電話番号が入力された場合、前記表示制御部は、前記電話番号宛に前記接続情報を、前記電話網を介して前記面談相手に送信し、前記面談相手に電話をかけることを前記表示部に表示するよう制御し、
前記面談相手が電話に出たが、前記接続情報を選択していない場合、前記表示制御部は、前記接続情報を再送するためのオブジェクトを前記表示部に表示するよう制御する、
プログラム。
【請求項２】
請求項１に記載のプログラムにおいて、
前記面談相手との面談に関するライブ配信が終了した場合、前記表示制御部は、前記面談に関するメモを入力する入力画面を前記表示部に表示するよう制御する、
プログラム。
【請求項３】
請求項２に記載のプログラムにおいて、
前記入力画面には、前記面談相手の名前を入力する入力欄が含まれる、
プログラム。
【請求項４】
請求項２又は請求項３に記載のプログラムにおいて、
前記入力画面には、前記面談に関するライブ配信の動画及び前記入力画面において入力されたメモを再生可能なリンクをコピーするためのオブジェクトが含まれる、
プログラム。
【請求項５】
請求項１から請求項４までの何れか１項に記載のプログラムにおいて、
前記携帯電話装置を、
前記面談部は、解析部を有し、
前記解析部は、前記面談に関するライブ配信における通話の内容をテキスト化する、
プログラム。
【請求項６】
請求項５に記載のプログラムにおいて、
前記解析部は、テキスト化された前記ライブ配信における通話の内容に基づいて、テキストの内容を、前記ユーザが話した内容か、前記面談相手が話した内容か、を識別して分離する、
プログラム。
【請求項７】
請求項６に記載のプログラムにおいて、
前記解析部は、前記ユーザが話した内容及び前記面談相手が話した内容に基づき、前記面談の雰囲気を判断する、
プログラム。
【請求項８】
請求項１に記載のプログラムにおいて、
前記面談部は、解析部を有し、
前記解析部は、前記面談に関するライブ配信における通話の内容をテキスト化し、テキスト化したライブ配信における通話の内容及び面談の動画における面談相手の顔画像に基づき、面談の雰囲気を判断し、判断の結果を出力する、
プログラム。
【請求項９】
撮像部と、通信部と、表示部と、を有する携帯電話装置であって、
前記通信部は、電話網及びインターネットを介して他の装置と通信可能に構成され、
面談制御部と、電話部と、を有し、
面談相手の電話番号が入力された場合、前記面談制御部は、面談に関するライブ配信の接続情報を、前記通信部及び電話網を介して前記面談相手に送信し、
前記接続情報を介して前記面談相手から接続があった場合、
前記通信部及び前記電話網を介した前記面談相手との面談に関するライブ配信における音声の送受信は、前記電話部を用いて行われ、
前記面談制御部は、前記通信部及びインターネットを介して前記面談相手との面談に関するライブ配信における画像の送受信を制御し、
ここで、前記面談相手に送信される画像は、前記撮像部で撮像されたユーザの画像であり、
前記面談相手より受信される画像は、前記面談相手の携帯電話装置で撮像された前記面談相手の画像であり、
面談相手の電話番号が入力された場合、前記電話番号宛に前記接続情報を、前記電話網を介して前記面談相手に送信し、前記面談相手に電話をかけることを前記表示部に表示するよう制御し、
前記面談相手が電話に出たが、前記接続情報を選択していない場合、前記接続情報を再送するためのオブジェクトを前記表示部に表示するよう制御する、
携帯電話装置。
【請求項１０】
撮像部と、通信部と、を有する携帯電話装置を含む情報処理システムであって、
前記通信部は、電話網及びインターネットを介して他の装置と通信可能に構成され、
面談制御部と、表示制御部と、電話部と、を有し、
面談相手の電話番号が入力された場合、前記面談制御部は、面談に関するライブ配信の接続情報を、前記通信部及び電話網を介して前記面談相手に送信し、
前記接続情報を介して前記面談相手から接続があった場合、
前記通信部及び前記電話網を介した前記面談相手との面談に関するライブ配信における音声の送受信は、前記電話部を用いて行われ、
前記面談制御部は、前記通信部及びインターネットを介して前記面談相手との面談に関するライブ配信における画像の送受信を制御し、
ここで、前記面談相手に送信される画像は、前記撮像部で撮像されたユーザの画像であり、
前記面談相手より受信される画像は、前記面談相手の携帯電話装置で撮像された前記面談相手の画像であり、
前記携帯電話装置は、表示部を有し、
面談相手の電話番号が入力された場合、前記表示制御部は、前記電話番号宛に前記接続情報を、前記電話網を介して前記面談相手に送信し、前記面談相手に電話をかけることを前記表示部に表示するよう制御し、
前記面談相手が電話に出たが、前記接続情報を選択していない場合、前記表示制御部は、前記接続情報を再送するためのオブジェクトを前記表示部に表示するよう制御する、
情報処理システム。
【請求項１１】
撮像部と、通信部と、表示部と、を有する携帯電話装置が実行する情報処理方法であって、
前記通信部は、電話網及びインターネットを介して他の装置と通信可能に構成され、
送信工程と、制御工程と、を含み、
面談相手の電話番号が入力された場合、前記送信工程では、面談に関するライブ配信の接続情報を、前記通信部及び電話網を介して前記面談相手に送信し、
前記接続情報を介して接続があった場合、前記制御工程では、前記通信部及び電話網を介して前記面談相手との面談に関するライブ配信における通話を制御すると共に、前記通信部及びインターネットを介して前記面談相手との面談に関するライブ配信における画像の送受信を制御する、
ここで、前記面談相手に送信される画像は、前記撮像部で撮像されたユーザの画像であり、
前記面談相手より受信される画像は、前記面談相手の携帯電話装置で撮像された前記面談相手の画像であり、
面談相手の電話番号が入力された場合、前記制御工程では、前記電話番号宛に前記接続情報を、前記電話網を介して前記面談相手に送信し、前記面談相手に電話をかけることを前記表示部に表示するよう制御し、
前記面談相手が電話に出たが、前記接続情報を選択していない場合、前記制御工程では、前記接続情報を再送するためのオブジェクトを前記表示部に表示するよう制御する、
情報処理方法。
【発明の詳細な説明】
【技術分野】
【０００１】
本発明は、プログラム、携帯電話装置、情報処理システム及び情報処理方法に関する。
【背景技術】
【０００２】
オンライン面談に関する技術がある（特許文献１参照）。
【先行技術文献】
【特許文献】
【０００３】
【特許文献１】特開２００２−７３９１４号公報
【発明の概要】
【発明が解決しようとする課題】
【０００４】
近年、就職活動を行う学生の中にはＰＣ（Ｐｅｒｓｏｎａｌ  Ｃｏｍｐｕｔｅｒ）を有していない学生も存在する。そのような学生でもスマートフォンは有している。したがって、スマートフォンを用いたオンライン面談に関する技術の開発が求められている。
【課題を解決するための手段】
【０００５】
本発明の一態様によれば、プログラムであって、撮像部と、通信部と、を有する携帯電話装置を、面談部として機能させ、前記通信部は、電話網及びインターネットを介して他の装置と通信可能に構成され、前記面談部は、面談制御部を有し、面談相手の電話番号が入力された場合、前記面談制御部は、面談に関するライブ配信の接続情報を、前記通信部及び電話網を介して前記面談相手に送信し、前記接続情報を介して前記面談相手から接続があった場合、前記通信部及び前記電話網を介した前記面談相手との面談に関するライブ配信における音声の送受信は、前記携帯電話装置の電話部を用いて行われ、前記面談制御部は、前記通信部及びインターネットを介して前記面談相手との面談に関するライブ配信における画像の送受信を制御し、ここで、前記面談相手に送信される画像は、前記撮像部で撮像されたユーザの画像であり、前記面談相手より受信される画像は、前記面談相手の携帯電話装置で撮像された前記面談相手の画像である、プログラムが提供される。
【０００６】
本発明の一つによれば、面談相手がアプリケーション等をインストールすることなく携帯電話装置を用いて面談を可能とする技術を提供することができる。
【図面の簡単な説明】
【０００７】
【図１】図１は、情報処理システムのシステム構成の一例を示す図である。
【図２】図２は、スマートフォンのハードウェア構成の一例を示す図である。
【図３】図３は、スマートフォンの機能構成の一例を示す図である。
【図４】図４は、スマートフォンの情報処理の一例を示すアクティビティ図である。
【図５】図５は、面談を開始する際の開始画面の一例を示す図である。
【図６】図６は、確認画面の一例を示す図である。
【図７】図７は、接続ＵＲＬをＳＭＳ送信した旨のメッセージの一例を示す図である。
【図８】図８は、面談相手に電話をかけている際の画面の一例を示す図である。
【図９】図９は、面談相手が電話に出たが、接続ＵＲＬを選択していない場合に表示される画面の一例を示す図である。
【図１０】図１０は、接続ＵＲＬをＳＭＳ送信した旨のメッセージの一例を示す図である。
【図１１】図１１は、面談相手が電話に出たが、接続ＵＲＬを選択していない場合に表示される画面の一例を示す図である。
【図１２】図１２は、面談のライブ配信中の画面の一例を示す図である。
【図１３】図１３は、面談に関するライブ配信が終了した旨のメッセージの一例を示す図である。
【図１４】図１４は、応募者についてのメモの入力を促すメッセージの一例を示す図である。
【図１５】図１５は、メモ入力画面の一例を示す図である。
【発明を実施するための形態】
【０００８】
以下、図面を用いて本発明の実施形態について説明する。以下に示す実施形態中で示した各種特徴事項は、互いに組み合わせ可能である。
【０００９】
ところで、本実施形態に登場するソフトウェアを実現するためのプログラムは、コンピュータが読み取り可能な非一時的な記録媒体として提供されてもよいし、外部のサーバからダウンロード可能に提供されてもよいし、外部のコンピュータで当該プログラムを起動させてクライアント端末でその機能を実現（いわゆるクラウドコンピューティング）するように提供されてもよい。
【００１０】
また、本実施形態において「部」とは、例えば、広義の回路によって実施されるハードウェア資源と、これらのハードウェア資源によって具体的に実現されうるソフトウェアの情報処理とを合わせたものも含みうる。また、本実施形態においては様々な情報を取り扱うが、これら情報は、例えば電圧・電流を表す信号値の物理的な値、０又は１で構成される２進数のビット集合体としての信号値の高低、又は量子的な重ね合わせ（いわゆる量子ビット）によって表され、広義の回路上で通信・演算が実行されうる。
【００１１】
また、広義の回路とは、回路（Ｃｉｒｃｕｉｔ）、回路類（Ｃｉｒｃｕｉｔｒｙ）、プロセッサ（Ｐｒｏｃｅｓｓｏｒ）、及びメモリ（Ｍｅｍｏｒｙ）等を少なくとも適当に組み合わせることによって実現される回路である。すなわち、特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ：ＡＳＩＣ）、プログラマブル論理デバイス（例えば、単純プログラマブル論理デバイス（Ｓｉｍｐｌｅ  Ｐｒｏｇｒａｍｍａｂｌｅ  Ｌｏｇｉｃ  Ｄｅｖｉｃｅ：ＳＰＬＤ）、複合プログラマブル論理デバイス（Ｃｏｍｐｌｅｘ  Ｐｒｏｇｒａｍｍａｂｌｅ  Ｌｏｇｉｃ  Ｄｅｖｉｃｅ：ＣＰＬＤ）、及びフィールドプログラマブルゲートアレイ（Ｆｉｅｌｄ  Ｐｒｏｇｒａｍｍａｂｌｅ  Ｇａｔｅ  Ａｒｒａｙ：ＦＰＧＡ））等を含むものである。
【００１２】
＜実施形態１＞
１．システム構成
図１は、情報処理システム１０００のシステム構成の一例を示す図である。情報処理システム１０００は、システム構成として、スマートフォン１００と、スマートフォン１１０と、を含む。スマートフォン１００と、スマートフォン１１０とは、電話網１２０及びインターネット１３０を介して通信可能に接続される。実施形態１において、スマートフォン１００は、採用担当者のスマートフォンである。スマートフォン１１０は、応募者のスマートフォンである。なお、実施形態１では、採用の面談を例に説明を行うが、これに限定されるものではない。採用以外に面談を行うものであれば何にでも適用可能である。スマートフォン１１０は、携帯電話装置の一例である。
【００１３】
２．ハードウェア構成
図２は、スマートフォン１００のハードウェア構成の一例を示す図である。スマートフォン１００は、ハードウェア構成として、制御部２０１と、記憶部２０２と、撮像部２０３と、入力表示部２０４と、通信部２０５と、を含む。制御部２０１は、スマートフォン１００の全体を制御する。記憶部２０２は、プログラム及び制御部２０１がプログラムに基づき処理を実行する際に用いるデータ等を記憶する。制御部２０１が記憶部２０２に記憶されたプログラムに基づき処理を実行することによって、後述する図３に示すスマートフォン１００の機能構成及び図４に示すアクティビティ図の処理が実現される。撮像部２０３は、被写体を撮像する。実施形態１において、撮像部２０３は、スマートフォン１００の利用者を被写体として撮像する。入力表示部２０４は、情報を表示すると共に、ユーザの操作情報を入力する。後述する図５から図１５までに示される画面は入力表示部２０４に表示される。通信部２０５は、スマートフォン１００を電話網１２０及びインターネット１３０に接続し、通信を司る。通信部２０５は、電話網１２０及びインターネット１３０を介してスマートフォン１１０と通信可能に構成される。スマートフォン１１０は、他の装置の一例である。
入力表示部２０４は、表示部の一例である。
【００１４】
３．機能構成
図３は、スマートフォン１００の機能構成の一例を示す図である。スマートフォン１００は、機能構成として、面談アプリケーション３１０と、電話アプリケーション３１１と、を含む。
【００１５】
（面談アプリケーション３１０）
面談アプリケーション３１０は、機能構成として、面談制御部３０１と、表示制御部３０２と、解析部３０３と、を含む。面談アプリケーション３１０は、面談部の一例である。電話アプリケーション３１１は、電話部の一例である。
【００１６】
（面談制御部３０１）
面談相手の電話番号が入力された場合、面談制御部３０１は、面談に関するライブ配信の接続ＵＲＬ（Ｕｎｉｆｏｒｍ  Ｒｅｓｏｕｒｃｅ  Ｌｏｃａｔｏｒ）を、通信部２０５及び電話網１０２を介して面談相手のスマートフォン１１０に送信する。接続ＵＲＬは、接続情報の一例である。より具体的に説明すると、面談相手の電話番号が入力された場合、面談制御部３０１は、面談に関するライブ配信のＵＲＬをＳＭＳ（Ｓｈｏｒｔ  Ｍｅｓｓａｇｅ  Ｓｅｒｖｉｃｅ）で面談相手のスマートフォン１１０に送信する。
ＵＲＬを介して面談相手から接続があった場合、通信部２０５及び電話網１２０を介した面談相手との面談に関するライブ配信における音声の送受信は、スマートフォン１００の電話アプリケーション３１１を用いて行われる。電話アプリケーション３１１は、スマートフォン１００に予めインストールされている電話アプリケーションである。
ＵＲＬを介して面談相手から接続があった場合、面談制御部３０１は、通信部２０５及びインターネット１３０を介して面談相手との面談に関するライブ配信における画像の送受信を制御する。ここで、面談相手に送信される画像は、撮像部２０３で撮像されたユーザの画像である。面談相手より受信される画像は、面談相手のスマートフォン１１０で撮像された面談相手の画像である。
スマートフォン１００が面談制御部３０１を有することにより、面談相手がアプリケーション等をインストールすることなくスマートフォンを用いて面談を可能とする技術を提供することができる。
【００１７】
（表示制御部３０２）
面談相手の電話番号が入力された場合、表示制御部３０２は、電話番号宛に接続ＵＲＬを、電話網１０２を介して面談相手に送信し、面談相手に電話をかけることを入力表示部２０４に表示するよう制御する。
また、面談相手が電話に出たが、接続ＵＲＬを選択していない場合、表示制御部３０２は、接続ＵＲＬを再送するためのボタンを入力表示部２０４に表示するよう制御する。接続ＵＲＬを再送するためのボタンは、接続情報を再送するためのオブジェクトの一例である。
また、面談相手との面談に関するライブ配信が終了した場合、表示制御部３０２は、面談に関するメモを入力する入力画面を入力表示部２０４に表示するよう制御する。
スマートフォン１００が表示制御部３０２を有することにより、面談相手がアプリケーション等をインストールすることなくスマートフォンを用いて面談を可能とする際に操作性のよいＵＩ（Ｕｅｒ  Ｉｎｔｅｒｆａｃｅ）を提供することができる。
【００１８】
（解析部３０３）
解析部３０３は、面談に関するライブ配信における通話の録音データに基づき通話の内容をテキスト化する。また、解析部３０３は、テキスト化されたライブ配信における通話の内容に基づいて、テキストの内容を、ユーザが話した内容か、面談相手が話した内容か、を識別して分離する。また、解析部３０３は、ユーザが話した内容及び面談相手が話した内容に基づき、面談の雰囲気を判断する。例えば、解析部３０３は、テキスト化され、話者分離された内容に含まれる笑い声等から面談の雰囲気を判断し、点数化し、点数に基づき、良い雰囲気だったか、普通の雰囲気だったか、良くない雰囲気だったかを判断し、出力する。他の例として、解析部３０３は、テキスト化された内容に基づき面談の雰囲気を判定するのではなく、面談の動画における面談相手の顔画像に基づき、笑顔か否かを判定し、判定の結果から面談の雰囲気を判断するようにしてもよい。更に他の例として、解析部３０３は、テキスト化された内容及び面談の動画における面談相手の顔画像に基づき、面談の雰囲気を判断するようにしてもよい。
スマートフォン１００が解析部３０３を有することにより、面談の内容等を解析することができる。そして、例えば、解析の結果に基づき、次の面談の際の面接官の表情、話し方、話す内容等を修正し、良い雰囲気で面談をすることができるようになる。
【００１９】
（電話アプリケーション３１１）
電話アプリケーション３１１は、電話網１２０を介して、電話をかけたり、電話を受けたりすることができるアプリケーションである。電話アプリケーション３１１は、音声による通話を司る。
【００２０】
４．情報処理
図４は、スマートフォン１００の情報処理の一例を示すアクティビティ図である。
Ａ４０１において、面談制御部３０１は、面談相手の電話番号が所定の画面において入力されたか否かを判定する。面談制御部３０１は、面談相手の電話番号が所定の画面において入力されたと判定すると、処理をＡ４０２に進める。面談制御部３０１は、面談相手の電話番号が所定の画面において入力されていないと判定すると、Ａ４０１の処理を繰り返す。
【００２１】
Ａ４０２において、面談制御部３０１は、面談に関するライブ配信のＵＲＬをＳＭＳで面談相手のスマートフォン１１０に送信する。
Ａ４０３において、面談制御部３０１は、接続ＵＲＬが選択されたか否かを判定する。面談制御部３０１は、接続ＵＲＬが選択されたと判定すると、処理をＡ４０４に進める。面談制御部３０１は、接続ＵＲＬが選択されていないと判定すると、Ａ４０３の処理を繰り返す。
【００２２】
Ａ４０４において、面談制御部３０１は、通信部２０５及びインターネット１３０を介して面談相手との面談に関するライブ配信における画像の送受信を制御する。
Ａ４０５において、面談制御部３０１は、面談が終了したか否かを判定する。例えば、面談制御部３０１は、接続を終了するボタンが選択された場合、面談が終了したと判定する。面談制御部３０１は、面談が終了したと判定すると、処理をＡ４０６に進める。面談制御部３０１は、面談が終了していないと判定すると、Ａ４０４の処理を繰り返す。
【００２３】
Ａ４０６において、表示制御部３０２は、面談に関するメモを入力する入力画面を入力表示部２０４に表示する。面談制御部３０１は、入力画面を介して入力されたメモ等を、面談に関する音声データ及び動画と共に記憶部２０２等に記憶する。なお、記憶する記憶先は、インターネット上の記憶サーバ等であってもよい。面談の音声データ、動画及びメモを、以下、面談データという。
【００２４】
Ａ４０７において、面談制御部３０１は、面談データのリンクをコピーして送信するか否かを判定する。面談制御部３０１は、面談データのリンクをコピーして送信すると判定すると、処理をＡ４０８に進める。面談制御部３０１は、面談データのリンクをコピーして送信しないと判定すると、処理を終了する。
【００２５】
実施形態１によれば、面談相手がアプリケーション等をインストールすることなくスマートフォン１００を用いて面談を可能とする技術を提供することができる。
【００２６】
＜変形例１＞
変形例１を説明する。変形例１では主に、スマートフォン１００が提供する画面について説明する。また、変形例１では主に、実施形態１と異なる点について説明する。
【００２７】
図５は、面談を開始する際の開始画面の一例を示す図である。スマートフォン１００は、所定の操作が行われると、図５に示される開始画面を入力表示部２０４に表示する。ユーザは、面談相手の電話番号を選択し、ボタン５０１を選択する。ボタン５０１が選択されると、表示制御部３０２は、入力表示部２０４に確認画面を表示する。
【００２８】
図６は、確認画面の一例を示す図である。ユーザは、電話番号に接続ＵＲＬをＳＭＳで送信後、電話アプリケーション３１１から電話をかける場合、確認ボタン６０１を選択する。確認ボタン６０１が選択されると、表示制御部３０２は、図７に示されるメッセージ７０１を入力表示部２０４に表示する。図７は、接続ＵＲＬをＳＭＳ送信した旨のメッセージ７０１の一例を示す図である。図７に示される画面になったあと、入力表示部２０４の画面は、図８に示されるような画面になる。図８は、面談相手に電話をかけている際の画面の一例を示す図である。
【００２９】
表示制御部３０２は、面談相手が電話に出た場合、図９に示される画面を入力表示部２０４に表示する。図９は、面談相手が電話に出たが、接続ＵＲＬを選択していない場合に表示される画面の一例を示す図である。画面には、接続ＵＲＬを再送するためのボタン９０１が表示される。また、画面には、ユーザの画像が表示される。図９の例では、右上にユーザの画像が表示されている。面談相手がなかなか接続ＵＲＬを選択しない場合、ユーザは、接続ＵＲＬを再送するためのボタン９０１を選択する。
【００３０】
接続ＵＲＬを再送するためのボタン９０１が選択されると、面談制御部３０１は、接続ＵＲＬを面談相手に送信する。そして、表示制御部３０２は、接続ＵＲＬをＳＭＳ送信した旨のメッセージを入力表示部２０４に表示する。図１０は、接続ＵＲＬをＳＭＳ送信した旨のメッセージ１００１の一例を示す図である。表示制御部３０２は、図１０に示したメッセージを表示後、入力表示部２０４に表示する画面を図１１に示す画面に遷移させる。図１１は、面談相手が電話に出たが、接続ＵＲＬを選択していない場合に表示される画面の一例を示す図である。図１１の画面は、図９の画面と同じである。
【００３１】
面談相手が接続ＵＲＬを選択すると、表示制御部３０２は、面談のライブ配信中の画面を入力表示部２０４に表示する。図１２は、面談のライブ配信中の画面の一例を示す図である。画面には、面談相手の画像が表示される。画面において、接続を終了するボタンが選択されると、面談制御部３０１は、面談相手との面談に関するライブ配信における画像の送受信の制御を終了する。また、接続を終了するボタンが選択されると、表示制御部３０２は、面談に関するライブ配信が終了した旨のメッセージを入力表示部２０４に表示する。図１３は、面談に関するライブ配信が終了した旨のメッセージ１３０１の一例を示す図である。
【００３２】
また、表示制御部３０２は、応募者についてのメモの入力を促すメッセージを入力表示部２０４に表示する。図１４は、応募者についてのメモの入力を促すメッセージ１４０１の一例を示す図である。その後、所定の操作がなされる、又は所定の時間が経過すると、表示制御部３０２は、メモ入力画面を入力表示部２０４に表示する。図１５は、メモ入力画面の一例を示す図である。メモ入力画面は、入力画面の一例である。メモ入力画面には、通話相手の名前を入力する名前入力欄１５０１が含まれる。また、メモ入力画面には、面談相手に対するメモを入力するメモ入力欄１５０２が含まれる。また、メモ入力画面には、面談に関するライブ配信の動画及び入力画面において入力されたメモを再生可能なリンクをコピーするためのリンクをコピーボタン１５０３が含まれる。リンクをコピーボタン１５０３は、オブジェクトの一例である。
名前入力欄１５０１に名前が入力され、メモ入力欄１５０２にメモが入力されて、完了ボタン１５０４が選択されると、面談制御部３０１は、面談データを所定の記憶領域に記憶する。
【００３３】
＜変形例２＞
上述した実施形態では、スマートフォン１００の制御部２０１が処理を行うものとして説明を行った。しかし、スマートフォン１００及びスマートフォン１１０と通信可能なサーバ装置の制御部がスマートフォン１００の機能の一部、又は全部を提供してもよい。このような構成の場合、情報処理システムには、スマートフォン１００と、サーバ装置と、スマートフォン１１０が含まれる。
【００３４】
また、本発明は、次に記載の各態様で提供されてもよい。
前記プログラムにおいて、前記面談部が表示制御部を有するように機能させ、前記携帯電話装置は、表示部を有し、面談相手の電話番号が入力された場合、前記表示制御部は、前記電話番号宛に前記接続情報を、前記電話網を介して前記面談相手に送信し、前記面談相手に電話をかけることを前記表示部に表示するよう制御する、プログラム。
前記プログラムにおいて、前記面談相手が電話に出たが、前記接続情報を選択していない場合、前記表示制御部は、前記接続情報を再送するためのオブジェクトを前記表示部に表示するよう制御する、プログラム。
前記プログラムにおいて、前記面談相手との面談に関するライブ配信が終了した場合、前記表示制御部は、前記面談に関するメモを入力する入力画面を前記表示部に表示するよう制御する、プログラム。
前記プログラムにおいて、前記入力画面には、前記面談相手の名前を入力する入力欄が含まれる、プログラム。
前記プログラムにおいて、前記入力画面には、前記面談に関するライブ配信の動画及び前記入力画面において入力されたメモを再生可能なリンクをコピーするためのオブジェクトが含まれる、プログラム。
前記プログラムにおいて、前記携帯電話装置を、前記面談部は、解析部を有し、前記解析部は、前記面談に関するライブ配信における通話の内容をテキスト化する、プログラム。
前記プログラムにおいて、前記解析部は、テキスト化された前記ライブ配信における通話の内容に基づいて、テキストの内容を、前記ユーザが話した内容か、前記面談相手が話した内容か、を識別して分離する、プログラム。
前記プログラムにおいて、前記解析部は、前記ユーザが話した内容及び前記面談相手が話した内容に基づき、前記面談の雰囲気を判断しする、プログラム。
撮像部と、通信部と、を有する携帯電話装置であって、前記通信部は、電話網及びインターネットを介して他の装置と通信可能に構成され、面談制御部と、電話部と、を有し、面談相手の電話番号が入力された場合、前記面談制御部は、面談に関するライブ配信の接続情報を、前記通信部及び電話網を介して前記面談相手に送信し、前記接続情報を介して前記面談相手から接続があった場合、前記通信部及び前記電話網を介した前記面談相手との面談に関するライブ配信における音声の送受信は、前記電話部を用いて行われ、前記面談制御部は、前記通信部及びインターネットを介して前記面談相手との面談に関するライブ配信における画像の送受信を制御し、ここで、前記面談相手に送信される画像は、前記撮像部で撮像されたユーザの画像であり、前記面談相手より受信される画像は、前記面談相手の携帯電話装置で撮像された前記面談相手の画像である、携帯電話装置。
撮像部と、通信部と、を有する携帯電話装置を含む情報処理システムであって、前記通信部は、電話網及びインターネットを介して他の装置と通信可能に構成され、面談制御部と、電話部と、を有し、面談相手の電話番号が入力された場合、前記面談制御部は、面談に関するライブ配信の接続情報を、前記通信部及び電話網を介して前記面談相手に送信し、前記接続情報を介して前記面談相手から接続があった場合、前記通信部及び前記電話網を介した前記面談相手との面談に関するライブ配信における音声の送受信は、前記電話部を用いて行われ、前記面談制御部は、前記通信部及びインターネットを介して前記面談相手との面談に関するライブ配信における画像の送受信を制御し、ここで、前記面談相手に送信される画像は、前記撮像部で撮像されたユーザの画像であり、前記面談相手より受信される画像は、前記面談相手の携帯電話装置で撮像された前記面談相手の画像である、情報処理システム。
撮像部と、通信部と、を有する携帯電話装置が実行する情報処理方法であって、前記通信部は、電話網及びインターネットを介して他の装置と通信可能に構成され、送信工程と、制御工程と、を含み、面談相手の電話番号が入力された場合、前記送信工程では、面談に関するライブ配信の接続情報を、前記通信部及び電話網を介して前記面談相手に送信し、前記接続情報を介して接続があった場合、前記制御工程では、前記通信部及び電話網を介して前記面談相手との面談に関するライブ配信における通話を制御すると共に、前記通信部及びインターネットを介して前記面談相手との面談に関するライブ配信における画像の送受信を制御する、ここで、前記面談相手に送信される画像は、前記撮像部で撮像されたユーザの画像であり、前記面談相手より受信される画像は、前記面談相手の携帯電話装置で撮像された前記面談相手の画像である、情報処理方法。
もちろん、この限りではない。
【００３５】
例えば、上述のプログラムを記憶する、コンピュータ読み取り可能な非一時的な記憶媒体として提供してもよい。
また、上述した実施形態及び変形例を任意に組み合わせて実施するようにしてもよい。
【００３６】
最後に、本発明に係る種々の実施形態を説明したが、これらは、例として提示したものであり、発明の範囲を限定することは意図していない。新規な実施形態は、その他の様々な形態で実施されることが可能であり、発明の要旨を逸脱しない範囲で、種々の省略、置き換え、変更を行うことができる。実施形態及びその変形は、発明の範囲及び要旨に含まれると共に、特許請求の範囲に記載された発明とその均等の範囲に含まれるものである。
【符号の説明】
【００３７】
１００    ：スマートフォン
１０２    ：電話網
１１０    ：スマートフォン
１２０    ：電話網
１３０    ：インターネット
２０１    ：制御部
２０２    ：記憶部
２０３    ：撮像部
２０４    ：入力表示部
２０５    ：通信部
３０１    ：面談制御部
３０２    ：表示制御部
３０３    ：解析部
３１０    ：面談アプリケーション
３１１    ：電話アプリケーション
５０１    ：ボタン
６０１    ：確認ボタン
７０１    ：メッセージ
９０１    ：ボタン
１０００  ：情報処理システム
１００１  ：メッセージ
１３０１  ：メッセージ
１４０１  ：メッセージ
１５０１  ：名前入力欄
１５０２  ：メモ入力欄
１５０３  ：コピーボタン
１５０４  ：完了ボタン
【要約】      （修正有）【課題】スマートフォンを用いたオンライン面談に関する技術を提供する。【解決手段】撮像部と、通信部と、を有する携帯電話装置（スマートフォン１００）を、面談部として機能させる。通信部は、電話網及びインターネットを介して他の装置と通信可能に構成される。面談部は、面談制御部を有する。面談制御部は、面談相手の電話番号が入力された場合、面談に関するライブ配信の接続情報を、通信部及び電話網を介して面談相手に送信する。接続情報を介して面談相手から接続があった場合、通信部及び電話網を介した面談相手との面談に関するライブ配信における音声の送受信は、携帯電話装置の電話部を用いて行われる。面談制御部は、通信部及びインターネットを介して面談相手との面談に関するライブ配信における画像の送受信を制御する。【選択図】図３【図１】
0006824457.tif 000002
【図２】
0006824457.tif 000003
【図３】
0006824457.tif 000004
【図４】
0006824457.tif 000005
【図５】
0006824457.tif 000006
【図６】
0006824457.tif 000007
【図７】
0006824457.tif 000008
【図８】
0006824457.tif 000009
【図９】
0006824457.tif 000010
【図１０】
0006824457.tif 000011
【図１１】
0006824457.tif 000012
【図１２】
0006824457.tif 000013
【図１３】
0006824457.tif 000014
【図１４】
0006824457.tif 000015
【図１５】
0006824457.tif 000016